(57)【要約】【課題】本発明の課題は、立体鏡を覗きながら画面上の操作を容易に行うことができる画像表示装置を提供することである。【解決手段】二眼式のスコープを用いて画面３５を覗き立体画像を閲覧する画像表示装置１であって、左眼用画像３及び右眼用画像５を画面上の表示領域内に表示する表示手段４１と、操作入力により表示画面上の位置を指定するマウスポインタ７と、マウスポインタにより左右の何れか一方の画像の位置が指定されると、一方の画像に連動して一方の画像と同じ位置まで他方の画像が移動する画像移動手段４３とを備え、画像移動手段４３は、表示領域の一方の画像の一部をマウスポインタにより指定すると、指定した一方の画像の一部が他方の画像の一部と連動して表示領域１３、１５の中央位置に移動し、中央位置を中心として一方の画像が拡大又は縮小し且つ一方の画像に連動して他方の画像が拡大又は縮小する画像拡大縮小手段４７を備えるようにした。【選択図】  図２
2004258315.tif 000002
【特許請求の範囲】
【請求項１】
二眼式のスコープを用いて画面を覗き立体画像を閲覧する画像表示装置であって、左眼用画像及び右眼用画像を画面上の一定の表示領域内に表示する表示手段と、利用者の操作入力により表示画面上の位置を指定するマウスポインタと、マウスポインタにより左右の何れか一方の画像の位置が指定されると、一方の画像に連動して一方の画像と同じ位置まで他方の画像が移動する画像移動手段とを備え、画像移動手段は、表示領域に表示された一方の画像の一部をマウスポインタにより指定すると、指定した一方の画像の一部が他方の画像の一部と連動して表示領域の中央位置に移動するとともに、表示領域の中央位置を中心として一方の画像が拡大又は縮小し且つ一方の画像に連動して他方の画像が拡大又は縮小する画像拡大縮小手段を備えていることを特徴とする画像表示装置。
【請求項２】
表示手段は左右の表示領域の中央位置に出没自在に表示される基準標識を備えており、画像移動手段は基準標識を中心として左右の画像の何れか一方の画像が上下又は左右に移動する画像位置修正手段を備え、画像位置修正手段により一方の画像の位置を修正することで左右の画像の位置合わせを行うことを特徴とする請求項１記載の画像表示装置。
【請求項３】
画面には所定のオブジェクトが隠されており、マウスポインタが、その位置に合うとオブジェクトが表示されるオブジェクト表示手段を備えていることを特徴とする請求項１又は２記載の画像表示装置。
【請求項４】
表示手段は画面上に表示されたオブジェクトを変化させるオブジェクト変化手段を備えていることを特徴とする請求項３記載の画像表示装置。
【請求項５】
オブジェクト変化手段は画像拡大縮小手段又は画像位置修正手段の操作ボタンであり、操作ボタンは画像が拡大縮小又は画像が移動しているときには画面上に表示されないことを特徴とする請求項４記載の画像表示装置。
【請求項６】
画像が移動又は拡大縮小するときには、マウスポインタが画面上から消えるマウスポインタ消去手段を備えていることを特徴とする請求項１乃至５の何れかに記載の画像表示装置。
【請求項７】
表示手段はマウスポインタで指定すると文字画像が左右方向に移動する文字画像移動手段を備えており、文字画像が移動することにより文字が浮き出て見えることを特徴とする請求項１乃至６の何れかに記載の画像表示装置。
【請求項８】
表示手段は文字画像をマウスポインタで指定すると、文字画像以外の画像の明度が落ちる明度調整手段を備えたことを特徴とする請求項７記載の画像表示装置。
【請求項９】
画像移動手段は表示領域に表示された画像をマウスポインタにより上下左右または斜め方向に移動させると、マウスポインタの移動方向と同方向又は反対方向に画像が移動するとともに、表示領域の端にマウスポインタが位置したときに、画像の他端が表示領域のマウスポインタとは反対側又は同じ側の端に位置する画像範囲制限手段を備えていることを特徴とする請求項１記載の画像表示装置。
【請求項１０】
表示手段はスクロールバーを表示するスクロールバー表示手段を備え、スクロールバー表示手段は表示領域内の文書情報を上下方向に移動させる一方及び他方のつまみを有し、一方及び他方のつまみの位置にマウスポインタが重なるとつまみが拡大表示し、文書情報の先頭位置が表示領域の上端位置にあるときは、下方向に移動させる一方のつまみのみを表示し、文書情報の最後尾位置が表示領域の下端位置にあるときは、上方向に移動させる他方のつまみのみを表示することを特徴とする請求項１乃至９の何れかに記載の画像表示装置。
【発明の詳細な説明】
【０００１】
【発明の属する技術分野】
本発明は、画面に表示された右眼用の画像と左眼用の画像を立体的に見ることができる画像表示装置に関するものである。
【０００２】
【従来の技術】
従来、視差画像を利用して立体視する方法が種々提供されているが、例えば１枚の用紙に視差のある２枚の写真を特定の位置だけ離して用意し、これを特定の間隔だけ離れた位置から専用の眼鏡（立体鏡）を使って立体視を行っていた。
【０００３】
また、最近ではデジタルカメラ等で撮影された画像をコンピュータに読み込み、ディスプレイ上に２枚の画像を右眼用画像と左眼用画像として配置し、かかる画像をディスプレイから離れた位置から立体鏡を使って立体視する方法も開示されている（例えば特許文献１）。
【０００４】
【特許文献１】
特開２００１−３２６９４８号公報
【０００５】
【発明が解決しようとする課題】
しかし、利用者は立体鏡を覗きながら画面を見ているため、通常とは異なり画面の拡大、縮小も立体鏡を覗きながらでき、局部的な拡大、縮小や全体の移動等の自由な操作が望まれていたが、従来このようなことができなかった。
【０００６】
また、画像を操作するマウスポインタを左右の画像に表示すると、スコープで覗いたときに、左右のマウスポインタの位置が画像に対してずれて、焦点がぼやけて見難くなるという問題があった。そこで、左右の画像の何れか一方のみにマウスポインタを表示する方法があるが、マウスポインタが見えたり見えなかったりを繰り返すいわゆる視野闘争が生じて、マウスポインタの現在位置が確認しづらいという問題があった。
【０００７】
本発明の課題は、立体鏡を覗きながら画面上の操作を容易に行うことができる画像表示装置を提供することである。
【０００８】
【課題を解決するための手段】
請求項１に記載の発明は、二眼式のスコープを用いて画面を覗き立体画像を閲覧する画像表示装置であって、左眼用画像及び右眼用画像を画面上の一定の表示領域内に表示する表示手段と、利用者の操作入力により表示画面上の位置を指定するマウスポインタと、マウスポインタにより左右の何れか一方の画像の位置が指定されると、一方の画像に連動して一方の画像と同じ位置まで他方の画像が移動する画像移動手段とを備え、画像移動手段は、表示領域に表示された一方の画像の一部をマウスポインタにより指定すると、指定した一方の画像の一部が他方の画像の一部と連動して表示領域の中央位置に移動するとともに、表示領域の中央位置を中心として一方の画像が拡大又は縮小し且つ一方の画像に連動して他方の画像が拡大又は縮小する画像拡大縮小手段を備えていることを特徴とする。
【０００９】
この請求項１に記載の発明では、表示領域内に表示された一方の画像の一部をマウスポインタにより指定すると、一方の画像に対応した他方の画像の一部が表示領域の中央位置に移動し、この中央位置を中心として一方の画像及び他方の画像が拡大又は縮小する。このように、画像の一部分の画像が拡大又は縮小するので、利用者の好みに応じた画像表示を行うことができる。
【００１０】
請求項２に記載の発明は、請求項１に記載の発明において、表示手段は左右の表示領域の中央位置に出没自在に表示される基準標識を備えており、画像移動手段は基準標識を中心として左右の画像の何れか一方の画像が上下又は左右に移動する画像位置修正手段を備え、画像位置修正手段により一方の画像の位置を修正することで左右の画像の位置合わせを行うことを特徴とする。
【００１１】
この請求項２に記載の発明では、請求項１に記載の発明と同様の作用効果を奏するとともに、画像位置修正手段では何れか一方の画像を表示領域の中央位置を基準として上下又は左右に移動させることで、左右の画像の位置合わせができるので、左右の画像をスコープで立体視した場合に、互いの位置がずれていても修正することができ、位置ずれの影響で見づらい立体画像をより見やすい状態にすることができる。
【００１２】
また、画像の位置を修正する場合には、表示領域の中央位置に基準標識が表示されるので、この基準標識を目安に画像を修正することができ、修正を簡単に行うことができる。
【００１３】
請求項３に記載の発明は、請求項１又は２に記載の発明において、画面には所定のオブジェクトが隠されており、マウスポインタが、その位置に合うとオブジェクトが表示されるオブジェクト表示手段を備えていることを特徴とする。
【００１４】
この請求項３に記載の発明では、請求項１又は２に記載の発明と同様の作用効果を奏するとともに、オブジェクト表示手段はマウスポインタにより指定されたときのみ画面上に表示されるので、表示領域の外で別途に操作のためのアイコンを設ける必要がない。したがって、表示領域を最大限に利用して画像を表示することができ、立体画像が見えやすく、また迫力のある画像を楽しむことができる。
【００１５】
請求項４に記載の発明は、請求項３に記載の発明において、表示手段は画面上に表示されたオブジェクトを変化させるオブジェクト変化手段を備えていることを特徴とする。
【００１６】
この請求項４に記載の発明では、請求項３に記載の発明と同様の作用効果を奏するとともに、所定のオブジェクトにマウスポインタが位置すると、オブジェクトが拡大したり色が変化したりするので、マウスポインタの現在の位置を確認しやすく、視野闘争によるマウスポインタの確認しづらさを補うことができる。
【００１７】
請求項５に記載の発明は、請求項４に記載の発明において、オブジェクト変化手段は画像拡大縮小手段又は画像位置修正手段の操作ボタンであり、操作ボタンは画像が拡大縮小又は画像が移動しているときには画面上に表示されないことを特徴とする。
【００１８】
この請求項５に記載の発明では、請求項４に記載の発明と同様の作用効果を奏するとともに、オブジェクト変化手段を画像の拡大縮小や画像の位置修正のための操作ボタンとすることで、マウスポインタの位置確認が容易にでき、画像の各操作を容易に行うことができるとともに、操作ボタンは画像が拡大縮小又は画像が移動しているときには画面上に表示されずに表示領域を最大限に利用することができる。
【００１９】
請求項６に記載の発明は、請求項１乃至５の何れかに記載の発明において、画像が移動又は拡大縮小するときには、マウスポインタが画面上から消えるマウスポインタ消去手段を備えていることを特徴とする。
【００２０】
この請求項６に記載の発明では、請求項１乃至５の何れかに記載の発明と同様の作用効果を奏するとともに、画像の移動又は拡大縮小の際には、画面上からマウスポインタが消えるので、目障りしない綺麗な立体画像を見ることができる。
【００２１】
請求項７に記載の発明は、請求項１乃至６の何れかに記載の発明において、表示手段はマウスポインタで指定すると文字画像が左右方向に移動する文字画像移動手段を備えており、文字画像が移動することにより文字が浮き出て見えることを特徴とする。
【００２２】
この請求項７に記載の発明では、請求項１乃至６の何れかに記載の発明と同様の作用効果を奏するとともに、文字画像をマウスポインタで指定すると文字画像が微小に移動するので、立体画像に対してさらに文字画像だけを突出させてり、奥に引っ込ませたりすることができる。よって、文字画像を一際目立たせることができ、利用者の注意を文字画像に向かせることができると共に、マウスポインタの位置確認が容易にできる。
【００２３】
請求項８に記載の発明は、請求項７に記載の発明において、表示手段は文字画像をマウスポインタで指定すると、文字画像以外の画像の明度が落ちる明度調整手段を備えたことを特徴とする。
【００２４】
この請求項８に記載の発明では、請求項７に記載の発明と同様の作用効果を奏するとともに、文字画像をマウスポインタで指定すると文字画像以外の画像が文字画像より暗くなるので、文字が読み易くなるとともに、文字画像を一際目立たせることができ、利用者の注意をさらに文字画像に向かせることができる。
【００２５】
請求項９に記載の発明は、請求項１に記載の発明において、画像移動手段は表示領域に表示された画像をマウスポインタにより上下左右または斜め方向に移動させると、マウスポインタの移動方向と同方向又は反対方向に画像が移動するとともに、表示領域の端にマウスポインタが位置したときに、画像の他端が表示領域のマウスポインタとは反対側又は同じ側の端に位置する画像範囲制限手段を備えていることを特徴とする。
【００２６】
この請求項９に記載の発明では、請求項１に記載の発明と同様の作用効果を奏するとともに、表示領域の端にマウスポインタが位置したときに、画像の端が表示領域のマウスポインタと反対側又は同じ側の端に位置するので、１度のマウス操作により、画像の全体を表示領域内に表示することができる。
【００２７】
請求項１０に記載の発明は、請求項１乃至９の何れかに記載の発明において、表示手段はスクロールバーを表示するスクロールバー表示手段を備え、スクロールバー表示手段は表示領域内の文書情報を上下方向に移動させる一方及び他方のつまみを有し、一方及び他方のつまみの位置にマウスポインタが重なるとつまみが拡大表示し、文書情報の先頭位置が表示領域の上端位置にあるときは、下方向に移動させる一方のつまみのみを表示し、文書情報の最後尾位置が表示領域の下端位置にあるときは、上方向に移動させる他方のつまみのみを表示することを特徴とする。
【００２８】
この請求項１０に記載の発明では、請求項１乃至９の何れかに記載の発明と同様の作用効果を奏するとともに、スクロールバーのつまみの位置にマウスポインタが合うと、つまみが拡大表示されるので、マウスポインタの所在位置の確認が容易である。また、文書情報の先頭位置あるいは最後尾位置が表示領域の上下端に位置すると、一方向に移動可能なつまみのみが表示されるので、文書情報の先頭位置あるいは最後尾位置の確認が容易にできる。
【００２９】
【発明の実施の形態】
以下に本発明の実施例を図面に基づいて具体的に説明する。図１は第１実施の形態にかかる画像表示装置の全体画面を示した図、図２は図１に係る左眼用画像及び右眼用画像の拡大縮小を示す図であり、（ａ）は操作バーの表示（ｂ）はターゲットマークの表示、（ｃ）は拡大図をそれぞれ示した図であり、図３は図２に係る画像の拡大及び縮小を説明するフローチャートである。図４は画像の位置修正を説明する図であり、（ａ）は操作バーの表示（ｂ）はターゲットマークの表示、（ｃ）は位置修正した後をそれぞれ示した図であり、図５は図４の画像の位置修正を説明するフローチャートである。図６はインデックス画面を示す図、図７は本発明に係る画像表示装置の全体構成を示すブロック図である。
【００３０】
第１実施の形態は、パーソナルコンピュータの画面（表示部）３５上に表示された視差画像を二眼式のスコープで覗き、立体画像を観賞するものである。また、マウス（入力部）３７によって画面３５の画像操作も行うことができる。尚、画像操作は制御部３０によって制御されている。
【００３１】
画面３５には、左画像（左眼用画像）３と、右画像（右眼用画像）５との２枚の画像が表示される。かかる画像３、５はデジタルカメラ等の撮影装置３１を用い、同一平面上を視差相当分平行スライドして撮影したものである。そして、デジタルカメラとパソコンとをＵＳＢ接続し、撮影した画像３、５をハードディスクの記憶部３３内に保存する。保存の際には各画像にファイル名を付け、ｊｐｅｇ形式で保存する。尚、撮影装置３１として一眼レフ式のカメラを使用する場合には、撮影したフィルム画像を現像後、スキャナ等の読取装置によってデジタル信号データに変換した後にハードディスク内の記憶部３３に保存される。
【００３２】
図１に示すように、画面３５は全体フレーム１１と、左右一対の表示フレーム（左ウインドウ１３、右ウインドウ１５）とで構成されている。左右ウインドウ１３、１５の横寸法（ＸＬ、ＸＲ）及び縦寸法（ＹＬ、ＹＲ）は自在に変更可能であり、縦寸法と横寸法の比率も変更可能である。また、全体フレーム１１の縦横寸法及び寸法比率も変更自在である。さらに、左右ウインドウ１３、１５の間隔（ｄ）も変更することができる。
【００３３】
左右の夫々の画像３、５は、画像３、５の中心位置と各ウインドウ１３、１５の中心位置が一致するように表示される。また画像３、５の大小によって、各ウインドウ１３、１５に表示される画像３、５の範囲は異なり、画像３、５の大きさがウインドウ１３、１５の大きさよりも小さい場合には、画像３、５の全体を表示できるが、画像３、５の大きさがウインドウ１３、１５よりも大きい場合には画像３、５の一部のみが表示される。
【００３４】
次に画像３、５の移動動作について説明する。移動動作は画像移動手段４３によって制御される。右ウインドウ１５にはマウス３７操作により画面上を移動するマウスポインタ７が表示手段４１によって表示されている。右側画像５の任意の位置がマウスポインタ７によって指定され（マウスボタンが押される）、マウスポインタ７が移動すると、右側画像５が左右上下方向あるいは斜め方向に動く。このとき、右側画像５の移動に連動して左側画像３もウインドウ１３内を移動する。マウスポインタ７によって指定が外れると、画像３、５の移動は停止する。
【００３５】
このように、マウス３７の操作により画像３、５を自由に移動させることができるので、ウインドウ１３、１５に表れていない画像３、５の部分も、ウインドウ１３、１５に表示することができ、上述のように画像３、５の大きさがウインドウ１３、１５よりも大きい場合でも、画像３、５を移動させることで画像全体に渡って見ることができる。
【００３６】
また、制御部３０は画像３、５の移動の際に、マウスポインタ７が画面上から消えるマウスポインタ消去手段４５を備えている。つまり、マウスポインタ７により右側画像５が指定されると、画面上からマウスポインタ７の表示が消え、指定が外れると再び表示されるようになっている。このように、画像３、５の移動中にマウスポインタ７の表示が画面から消えるので、画像３、５を移動させながら立体画像を楽しむ場合でも、目障りなく綺麗な立体画像を見ることができる。
【００３７】
次に画像の拡大及び縮小表示について説明する。画像拡大縮小手段４７は、ウインドウ１３、１５の中央位置を基点として画像３、５を拡大、縮小表示させるものである。また、ウインドウ１３、１５には画像３、５の拡大、縮小を操作するための操作ボタン１９を備えており、操作ボタン１９は操作バー１７とともに出没自在に表示される。すなわち、図２（ａ）に示すように、オブジェクト表示手段４９の制御により、右ウインドウ１５の下側には操作バー１７が隠されており、マウスポインタ７をその位置に合わせると、操作バー１７が表示されるようになっている。また、操作バー１７のライン上には、操作ボタン１９が表示されており、この操作ボタン１９を左右に移動させることで画像３、５の拡大、縮小の操作を行っている。
【００３８】
詳細には、右ウインドウ１５の下側部分にマウスポインタ７を合わせると（ステップＳ１）、左右ウインドウ１３、１５の左端に「ＺＯＯＭ」と記載された操作バー１７が表示される（ステップＳ２）。かかる操作バー１７は透明な薄橙色の彩色が施されており、画像３、５との識別が容易にできるようになっている。また、右ウインドウ１５の左端の「ＺＯＯＭ」の部分にマウスポインタ７を合わせると、「ＺＯＯＭ」の文字が拡大されるようになっており、利用者は拡大縮小の操作バー１７であることを容易に認識することができる。また、画像３、５が拡大又は縮小された後、「ＺＯＯＭ」の部分でマウスポインタ７をクリックすると、画像３、５が初期値の状態に戻される。
【００３９】
次いで、図２（ｂ）に示すように操作バー１７の操作ボタン１９にマウスポインタ７が重なると（ステップＳ３）、操作ボタン１９が拡大表示されるとともに、左右ウインドウ１３、１５の中央位置に朱色の十字状のターゲットマーク２１が表示される（ステップＳ４）。そして、操作ボタン１９の左右の移動により画像３、５の拡大、縮小表示が行われ（ステップＳ５）、操作ボタン１９が右側に移動すると、ターゲットマーク２１を中心として画像３、５が拡大表示される（ステップＳ６）。また、反対に操作ボタン１９が左側に移動すると画像３、５は縮小表示される（ステップＳ７）。
【００４０】
尚、本実施の形態では操作ボタン１９はマウスポインタ７の指定により拡大表示するようにしたが、その他、操作ボタン１９の拡大表示の他に、色が変化するようにしても良い。このように、操作ボタン１９が拡大表示や色の変化などの自己主張をするので、マウスポインタ７が操作ボタン１９の位置に合ったことを確認しやすい。また、画像３、５の拡大の最大倍率は利用者が自由に設定することができ、この設定範囲内での拡大が可能であり、このとき拡大率を画面上にリアルタイムで表示することもできる。
【００４１】
次に画像の位置修正について説明する。画像の位置修正は画像位置修正手段５３により制御されている。左右の画像３、５はデジタルカメラ等を用いて同一平面上を視差相当分だけ平行スライドして撮影するが、カメラのレンズは周辺部に近づくほど歪が大きくなる。従って、かかる歪のために画像周辺部を拡大時の立体画像が見づらい場合がある。このような不具合を解消するために、画像位置修正手段５３により何れか一方の画像の位置を他方の画像の位置と合うよう調整できるようにした。本実施の形態では左側の画像３の位置を右側画像３に対してずらすようにしている。
【００４２】
画像位置修正手段５３は、ウインドウ１３、１５の左右の画像位置を合わせるものであり、右ウインドウ１５には左画像３の位置を操作するための操作バー１７が出没自在に表示されるようにしている。
【００４３】
図４（ａ）に示すように、右ウインドウ１５の下側には操作バー２３が隠されており、マウスポインタ７を合わせると操作バー２３が表示される。また、操作バー２３のライン上には丸い操作ボタン２５が表示されており、この操作ボタン２５を左右に移動させることで左側の画像の位置修正を行う。
【００４４】
詳細には、右ウインドウ１５の下側部分にマウスポインタ７を合わせると（ステップＳ１１）、ウインドウ１３、１５の左下端に「ＦＯＣＵＳ」と記載された操作バー２３が表示される（ステップＳ１２）。かかる操作バー２３は透明な薄青色の彩色が施されており、画像３、５との識別ができるようになっている。また、ウインドウ１３、１５の左端の「ＦＯＣＵＳ」の部分にマウスポインタ７を合わせると文字が拡大されるようになっており、利用者は位置修正の操作バー２３であることを容易に認識することができる。また、画像３、５の位置合わせがされた後、「ＦＯＣＵＳ」の部分でマウスポインタ７をクリックすると、画像３、５が初期値の状態に戻される。
【００４５】
図４（ａ）に示すように操作バー２３の操作ボタン２５にマウスポインタ７が重なると（ステップＳ１３）、操作ボタン２５が拡大表示される（ステップＳ１４）。そして、操作ボタン２５が押されると（ステップＳ１５）、左右ウインドウ１３、１５の中央位置に十字状のターゲットマーク（基準標識）２７が表示される（ステップＳ１６）。そして、操作ボタン２５が左右に移動することで、左側画像３が左右に移動する（ステップＳ１７）。このとき、右ウインドウ１５のターゲットマーク２７の縦線２７ａと右画像５の位置と、左ウインドウ１３のターゲットマーク２７の縦線２７ａと左画像３の位置とを確認し、左右の画像３、５がターゲットマーク２７の縦線２７ａの位置に合うように修正する（ステップＳ１８）。
【００４６】
拡大縮小時と同様に、ターゲットマーク２７が表示されると同時に、操作バー２３及びマウスポインタ７の表示が消える。また、マウスポインタ７が操作バー２３の領域外に出たときは、ターゲットマーク２７の表示が消えるとともに、マウスポインタ７も表示される。
【００４７】
画像位置修正手段５３では左画像３をウインドウ１３の中央ラインを基準として左右に移動させることで、左右の画像３、５の位置合わせができるので、画像３、５をスコープで立体視した場合に、互いの位置がずれていても修正することができ、位置ずれの影響で見づらい立体画像を見易い状態にすることができる。
【００４８】
尚、画像位置修正手段５３は左画像３をウインドウ１３に表示されるターゲットマーク２７の左右ライン２７ｂを基準として上下に移動させて位置修正することもできる。この場合、右ウインドウ１５の右側には操作バー２９が隠されており、マウスポインタ７を合わせると操作バー２９が表示される。また、操作バー２９のライン上には丸い操作ボタン２８が設けられており、この操作ボタン２８を上下に移動させることで左側の画像３の位置修正を行う。このとき、右ウインドウ１５のターゲットマーク２７の横線２７ｂと右画像５の位置、左ウインドウ１３のターゲットマーク２７の横線２７ｂと左画像３の位置とを確認し、左右の画像３、５がターゲットマーク２７の横線２７ｂの位置に合うように修正する。
【００４９】
次に、インデックス表示画面６０について説明する。インデックス表示画面６０は図１の状態から左ウインドウ１３にマウスポインタ７を合わせると表示されるものであり、図６に示すように、インデックス画面６０では、タイトル欄６１、撮影場所、日時、撮影条件、ファイル名等の付属データ表示欄６２、コメント欄６３等が表示される。また、制御部３０はインデックス枠６１、６２、６３が画面３５から浮き出て見えるような文字画像移動手段５５を備えている。
【００５０】
利用者がこれらのインデックス枠６１、６２、６３の上にマウスポインタ７を合わせると、インデックス枠６１、６２、６３がウインドウの内側（左ウインドウ１３は右側方向、右ウインドウ１５は左側方向）に移動（図６中破線で示す）し、スコープで覗いた際には、立体画像がさらに、飛び出したように見える。よって、インデックス枠６１、６２、６３を一際目立たせることができ、利用者の注意を向かせることができる。尚、インデックス枠６１、６２、６３がウインドウの外側（左ウインドウ１３は左側方向、右ウインドウ１５は右側方向）に移動するように設定すれば、上記とは反対に奥行き方向に引っ込んだように見える。よって、インデックス枠６１、６２、６３を目立たせることができ、マウスポインタ７の確認がし易くなるとともに、利用者の注意を引かせることができる。
【００５１】
また、制御部３０は文字画像移動手段５５と連動する明度調整手段５７を設けても良い。すなわち、インデックス枠６１、６２、６３の上にマウスポインタ７を合わせると、文字画像移動手段５５によりインデックス枠６１、６２、６３が左右方向に移動するとともに、明度調整手段５７により移動したインデックス枠が他の画面よりも明るく表示される。このように、インデックス枠６１、６２、６３が画面から浮き出て見えると同時に、周りに比べて明るく表示されるので、文字が読み易くなるとともに、さらに利用者の注意を引かせることができると同時に、マウスポインタ７の所在確認が容易にできる。
【００５２】
次にコメント欄６３の操作について説明する。コメント欄６３にはスクロール用のつまみマークを表示するスクロールバーがコメント欄６３の右側位置に表示される。図１１（ａ）に示すように、コメント欄６３の文書情報７６が表示エリアの範囲内の行数であればスクロールバーにつまみマークは表示されず、文書情報７６ａの表示行数が表示エリアの範囲を超えている場合には、図１１（ｂ）に示すように、正逆三角形のつまみマーク６４及び逆三角形のつまみマーク（一方のつまみ）７５が表示される。
【００５３】
図１１（ｃ）に示すように、逆三角形のつまみマーク７５にマウスポインタ７を合わせると、逆三角形のつまみマーク７５ｂが拡大表示される。そして、拡大表示された逆三角形のつまみマーク７５ｂをクリックすると、上方向に画面送りされて、表示エリア範囲外の文書情報７６ｂが表示エリア内に表示される。尚、逆三角形のつまみマーク７５ｂをクリックと、正逆三角形のつまみマーク６４も同時に移動する。
【００５４】
図１１（ｄ）に示すように、表示エリア内に文書情報７６ｃの最終段が表示されると、逆三角形のつまみマーク７５ａの表示が消え、それと同時に正三角形のつまみマーク７４が表示される。このとき、正逆三角形のつまみマーク６４はスクロールバーの最下段に位置している。再度、文書情報の先頭位置を表示させたい場合は、正三角形のつまみマーク７４をクリックすることで、下方向に画面送りされて、文書情報の先頭位置を表示エリア内に表示することができる。
【００５５】
尚、図１１（ｅ）に示すように、コメント欄６３の操作は正逆三角形のつまみマーク６４でも行うことができ、この正逆三角形のつまみマーク６４ｂにマウスポインタ７を合わせると拡大表示される。さらに、正逆三角形のつまみマーク６４ｂをドラッグして上下にマウスを動かすことで、画面送りを自在に操作できる。
【００５６】
以上のように、スクロールバーのつまみマーク６４、７４、７５の位置にマウスポインタ７が合うと、つまみマーク６４、７４、７５が拡大表示されるので、マウスポインタ７の所在位置の確認が容易である。
【００５７】
コメント欄６３の下部には碁盤のマス目状のリンクボタン６５が配置されており、各リンクボタン６５には表題が表示されている。そして、リンクボタン６５をクリックすることで、リンク先のファイル（画像）や他のホームページに飛ぶようになっている。尚、リンク先のファイルが５秒経過しても読み込めなかった場合は、「準備中」のメッセージが画面上に表示され元の画像が表示される。
【００５８】
また、リンクボタン６５はマウスポインタ７が重なるとウインドウ１３、１５の内側に向けて移動し、リンクボタン６５が飛び出したように見える。さらに、リンクボタン６５はマウスポインタ７が重なると、赤色の枠６６が表示されるようになっており、マウスポインタ７の現在位置を容易に知ることができる。
【００５９】
リンクボタン６５の下には、ナビゲーションボタン６７が配置されている。ナビゲーションボタン６７は、６つの丸ボタンで構成されており、左側から順番にトップページにリンクしたホームボタン６８、説明ファイルにリンクしたインデックスボタン６９、現在表示されている画像の次の画像を表示するための送りボタン７１、現在表示されている画像の前の画像を表示するための戻りボタン７０、保存されている画像のトップ画像にリンクしたトップボタン７２、所定の枚数だけ先の画像を表示するスキップボタン７３の各ボタンが配置されている。
【００６０】
これら６つのボタンのうち、送りボタン７１、戻りボタン７０、トップボタン７２及びスキップボタン７３の４つのボタンは、例えば図１の画面上でも表示可能であり、かかる４つうちの右ボタン７４は送りボタン７１に対応しており、同じリンク先を表示する。同様に、左ボタン７５は戻りボタン７０に、上ボタン７６はトップボタン７２に、下ボタン７７はスキップボタン７３にそれぞれ対応している。
【００６１】
次に、図８乃至図１０を参照して他の実施の形態について説明するが、その説明にあたり、上述した部分と同様な部分には同一の符号を付することにより、その説明を省略する。図８は第２実施の形態に係る画像表示装置を示す図であり、ここでは右ウインドウ１５のみを示し、左ウインドウ１３は省略しているが左右の動作は基本的に同一である。第２実施の形態の動作は部分画像移動手段５９により制御されている。図８に示す第２実施の形態では、ウインドウ１５に表示された画像５の中で、拡大して見たい部分画像８がある場合に、その部分画像８をマウスでクリックすれば、部分の拡大画像８ａを見ることができるものである。図８（ａ）に示すように、部分画像８の位置にマウスポインタ７を合わせ、マウスボタン３７を押すとマウスポインタ７で指定した位置が、ウインドウ１５の中央位置に移動する。そして、マウスボタン３７を押したままマウスを右側方向に移動させることで、画像８が拡大される。また、マウスを左側に戻すと拡大画像８ａは縮小するので、利用者の好みに応じた拡大表示を行うことができる。
【００６２】
図９は第３実施の形態に係る画像表示装置を示す図であり、ここでは右ウインドウ１５のみを示し、左ウインドウ１３は省略しているが左右の動作は基本的に同一である。図９に示す第３実施の形態では、ウインドウ１５に表示された画像５を１回のマウス操作で全体を見渡すことができるものである。図９（ａ）に示す状態では、画像５の中央部分しか表示されていない。この状態で特定の部分画像８を表示する場合には、ウインドウ１５に表示された画像５の任意の場所を指定し、上下左右または斜め方向に移動させる。
【００６３】
図９（ａ）では部分画像８の位置が画像５の左上部分にあるので、マウスを右下方向に移動させる。図９（ｂ）に示すように、マウスポインタ７ａの位置がウインドウ１５の右端１５ａにくると、画像５の左端５ａがウインドウ１５の左端１５ｂの近くに移動する。また、マウスポインタ７ａの位置がウインドウ１５の下端１５ｃにくると、画像５の上端５ｂがウインドウ１５の上端１５ｄの近くに移動する。このように、画像５の隅に位置する部分画像８をウインドウ１５に表示できる。
【００６４】
図１０は第４実施の形態に係る画像表示装置を示す図であり、マウスポインタ７の動く方向と画像５の動く方向が反対方向である点が第３実施の形態と異なる。図１０（ａ）では部分画像８の位置が画像５の左上部分にあるので、マウスを左上方向に移動させる。図１０（ｂ）に示すように、マウスポインタ７ａの位置がウインドウ１５の左端１５ｂにくると、画像５の左端５ａがウインドウ１５の左端１５ｂの近くに移動する。また、マウスポインタ７ａの位置がウインドウ１５の上端１５ｄにくると、画像５の上端５ｂがウインドウ１５の上端１５ｄの近くに移動する。このように、画像５の隅に位置する部分画像８をウインドウ１５に表示できる。
【００６５】
本発明は、上述のような実施例に限定されず、その要旨を逸脱しない範囲内において種々の変形が可能である。例えば、上述した画像表示装置１をサーバ上に掲載し、インターネットを通じて各家庭や学校等のパソコンの画面３５上で操作できるようにしても良い。
【００６６】
【発明の効果】
請求項１に記載の発明では、表示領域内に表示された一方の画像の一部をマウスポインタにより指定すると、一方の画像に対応した他方の画像の一部が表示領域の中央位置に移動し、この中央位置を中心として一方の画像及び他方の画像が拡大又は縮小する。このように、画像の一部分の画像が拡大又は縮小するので、利用者の好みに応じた画像表示を行うことができる。
【００６７】
請求項２に記載の発明では、請求項１に記載の発明と同様の効果を奏するとともに、画像位置修正手段では何れか一方の画像を表示領域の中央位置を基準として上下又は左右に移動させることで、左右の画像の位置合わせができるので、左右の画像をスコープで立体視した場合に、互いの位置がずれていても修正することができ、位置ずれの影響で見づらい立体画像を見やすい状態にすることができる。
【００６８】
請求項３に記載の発明では、請求項１又は２に記載の発明と同様の効果を奏するとともに、オブジェクト表示手段はマウスポインタにより指定されたときのみ画面上に表示されるので、表示領域の外で別途に操作のためのアイコンを設ける必要がない。したがって、表示領域を最大限に利用して画像を表示することができ、立体画像が見えやすく、また迫力のある画像を楽しむことができる。
【００６９】
請求項４に記載の発明では、請求項３に記載の発明と同様の効果を奏するとともに、所定のオブジェクトにマウスポインタが位置すると、オブジェクトの拡大や色の変化などをするので、視野闘争で見づらくなっているマウスポインタの現在の位置を確認しやすい。
【００７０】
請求項５に記載の発明では、請求項４に記載の発明と同様の効果を奏するとともに、オブジェクト変化手段を画像の拡大縮小や画像の位置修正のための操作ボタンとすることで、マウスポインタの位置確認が容易にでき、画像の各操作を容易に行うことができる。
【００７１】
請求項６に記載の発明では、請求項１乃至５の何れかに記載の発明と同様の効果を奏するとともに、画像の移動又は拡大縮小の際には、画面上からマウスポインタが消えるので、目障りしない綺麗な立体画像を見ることができる。
【００７２】
請求項７に記載の発明では、請求項１乃至６の何れかに記載の発明と同様の効果を奏するとともに、文字画像をマウスポインタで指定すると文字画像が微小に移動するので、立体画像に対してさらに文字画像だけを突出させてり、奥に引っ込ませたりすることができる。よって、文字画像を一際目立たせることができ、利用者の注意を文字画像に向かせることができると共に、視野闘争で見づらくなっているマウスポインタの位置確認が容易にできる。
【００７３】
請求項８に記載の発明では、請求項７に記載の発明と同様の効果を奏するとともに、文字画像をマウスポインタで指定すると文字画像以外の画像が文字画像より暗くなるので、文字画像を一際目立たせることができ、利用者の注意をさらに文字画像に向かせることができる。
【００７４】
請求項９に記載の発明では、請求項１に記載の発明と同様の効果を奏するとともに、表示領域の端にマウスポインタが位置したときに、画像の端が表示領域のマウスポインタと反対側又は同じ側の端に位置するので、１度のマウス操作により、画像の全体を表示領域内に表示することができる。
【００７５】
請求項１０に記載の発明では、請求項１乃至９の何れかに記載の発明と同様の効果を奏するとともに、スクロールバーのつまみの位置にマウスポインタが合うと、つまみが拡大表示されるので、視野闘争で見づらくなっているマウスポインタの所在位置の確認が容易である。また、文書情報の先頭位置あるいは最後尾位置が表示領域の上下端に位置すると、一方向に移動可能なつまみのみが表示されるので、文書情報の先頭位置あるいは最後尾位置の確認が容易にできる。
【図面の簡単な説明】
【図１】第１実施形態にかかる画像表示装置の全体画面を示した図である。
【図２】図１に係る左眼用画像及び右眼用画像の拡大縮小を示す図であり、（ａ）は操作バーの表示（ｂ）はターゲットマークの表示、（ｃ）は拡大図をそれぞれ示した図である。
【図３】図２に係る画像の拡大及び縮小を説明するフローチャートである。
【図４】画像の位置修正を説明する図であり、（ａ）は操作バーの表示（ｂ）はターゲットマークの表示、（ｃ）は位置修正した後をそれぞれ示した図である。
【図５】図４の画像の位置修正を説明するフローチャートである。
【図６】インデックス画面を示す図である。
【図７】本発明に係る画像表示装置の全体構成を示すブロック図である。
【図８】第２実施の形態に係る画像表示装置を示す図である。
【図９】第３実施の形態に係る画像表示装置を示す図である。
【図１０】第４実施の形態に係る画像表示装置を示す図である。
【図１１】スクロールバーの操作について説明する図である。
【符号の説明】
１            画像表示装置
３            左画像（左眼用画像）
５            右画像（右眼用画像）
７            マウスポインタ（画像指定手段）
１３、１５    ウインドウ（表示領域）
１９          操作ボタン
２１、２７    ターゲットマーク（基準標識）
３５          画面
４１          表示手段
４３          画像移動手段
４５          マウスポインタ消去手段
４７          画像拡大縮小手段
４９          オブジェクト表示手段
５１          オブジェクト変化手段
５３          画像位置修正手段
５５          文字画像移動手段
５７          明度調整手段
６１          画像範囲制限手段
【図１】
2004258315.tif 000003
【図２】
2004258315.tif 000004
【図３】
2004258315.tif 000005
【図４】
2004258315.tif 000006
【図５】
2004258315.tif 000007
【図６】
2004258315.tif 000008
【図７】
2004258315.tif 000009
【図８】
2004258315.tif 000010
【図９】
2004258315.tif 000011
【図１０】
2004258315.tif 000012
【図１１】
2004258315.tif 000013